(57)【要約】      （修正有）【課題】カップ部の形態安定性を向上させ、バストの中央への寄せ効果や保形効果を安定的に維持し得るブラジャーの肩紐を提供する。【解決手段】肩紐１０は、前記カップ部５０の側縁部５０ｂに接続する吊上げ部１４と、バック部５４に接続する肩掛け部１２と、該吊上げ部１４と該肩掛け部１２とを連結する連結部２０と、から構成され、前記吊上げ部１４は、前記カップ部５０の上縁部５０ａと側縁部５０ｂとの交点である上端部を一端として前記連結部２０を挿通し、該上端部の一端より下方の側縁部５０ｂを他端として該カップ部５０の側縁部５０ｂに連結する紐により、正面視で三角形状に形成した。【選択図】図１
2014062350.tif 000002
【特許請求の範囲】
【請求項１】
上縁部、側縁部および下縁湾曲部を有しバストを支持する左右一対のカップ部と、該カップ部の下縁湾曲部を下方から支持する土台部と、該土台部に接続された左右一対のバック部と、該カップ部の側縁部と該バック部とを連結する左右一対の肩紐とを含むブラジャーにおいて、
前記肩紐は、
前記カップ部の側縁部に接続する吊上げ部と、
前記バック部に接続する肩掛け部と、
該吊上げ部と該肩掛け部とを連結する連結部と、
から構成され、
前記吊上げ部は、前記カップ部の上縁部と側縁部との交点である上端部を一端として前記連結部を挿通し、該上端部の一端より下方の側縁部を他端として該カップ部の側縁部に連結する紐により、正面視で三角形状に形成した、ブラジャーの肩紐。
【請求項２】
前記吊上げ部および前記連結部を含んで形成する前記三角形状は、
前記カップ部の上端部である一端から前記連結部に伸長する吊上げ上縁部と、該連結部から前記カップ部の側縁部の他端に伸長する脇補強下縁部と、該カップ部の側縁部に存する一端から他端までを３辺とし、
着用時において、
バストを保持するための力線Ｆが、前記下縁湾曲部の最下点Ｂから前記三角形状の頂部である前記連結部を介して前記肩掛け部に亘って略直線状に延伸可能な、
請求項１に記載のブラジャーの肩紐。
【請求項３】
前記連結部は、
前記肩掛け部を連結する側の形状は円弧状であり、
該肩掛け部は該連結部に対して回動可能な請求項２に記載のブラジャーの肩紐。
【請求項４】
前記左右一対のカップ部の前記左右の下縁湾曲部の最下点Ｂを結ぶ線を基準線Ｇとして、
着用時において、
前記最下点Ｂから前記三角形状の前記連結部を介して略直線状に前記肩掛け部に延伸する力線Ｆの、前記基準線Ｇに対する角度θが、６０度〜７５度の範囲に存する、請求項２に記載のブラジャーの肩紐。
【請求項５】
前記三角形状を形成する脇補強下縁部が前記カップ部の側縁部に接続する他端の最下点ｍ１と前記下縁湾曲部の最下点Ｂとを結ぶ直線Ｆ１が、前記基準線Ｇに対する角度θ１は、正面視において６０度〜６５度の範囲に存する、請求項４に記載のブラジャーの肩紐。
【請求項６】
前記三角形状を形成する吊上げ上縁部が前記カップ部の上縁部に接続する前記一端の中央側端点ｍ２と前記下縁湾曲部の最下点Ｂとを結ぶ直線Ｆ２が、前記基準線Ｇに対する角度θ２は、正面視において７０度〜７５度の範囲に存する、請求項４に記載のブラジャーの肩紐。
【請求項７】
前記三角形状を形成する吊上げ上縁部と脇補強下縁部とのなす角度ηは、２９度〜３５度の範囲に存する、請求項１乃至６のいずれか１項に記載のブラジャーの肩紐。
【発明の詳細な説明】
【技術分野】
【０００１】
本発明は、バストを安定的に持ち上げ、美しいバストラインを保持し得るブラジャーの肩紐に関する。
【背景技術】
【０００２】
ブラジャーは、図５に示すように、バストを覆う左右一対のカップ部５５０と、カップ部５５０を下方から支持する土台部５５２と、土台部５５２に接続された左右一対のバック部５５４と、カップ部５５０とバック部５５４とを連結する左右一対の肩紐５１０とを含んで構成される。
【０００３】
カップ部５５０の外縁は、通常、上縁部５５０ａと側縁部５５０ｂと下縁湾曲部５５０ｃとからなり、肩紐５１０は、上縁部５５０ａと側縁部５５０ｂとの交点である上端部５５０ｄから上方に伸長してバック部５５４に連結する。
【０００４】
特許文献１には、上記図５のように、肩紐５１０がカップ部５５０の下縁湾曲部５５０ｃに接続されて、上端部５５０ｄから上方に伸長するブラジャー５０１が開示されている（図５における、左側の肩紐５１０参照）。肩紐５１０を下縁湾曲部５５０ｃから接続することにより、バストを上方に持ち上げる効果を奏している。
【０００５】
一方、特許文献２には、図６のように、カップ部６５０の側縁部６５０ｂに、ゴム入紐のような任意の短い弾性吊上紐６１４を設けて、これが先端を上下自在の取付環６２０によって両肩紐６１０の適所に連結した構造のブラジャー６０１が開示されている。特許文献２の発明によれば、取付環６２０を調整して弾性吊上紐６１４の吊下位置を適切ならしめておくことにより、着用中動揺等で生じたカップ部６５０の型崩れを自動的に矯正して常に端正優美の姿態を保たしめることができ着用心地を軽快とする効果を奏することができる。
【０００６】
また、特許文献３には、図７のように、左右一対のカップ部７５０と、左右一対の肩ストラップ７１０と、を備えるカップ付き女性用衣類７０１において、肩ストラップ７１０は、その前側でテープ状の脇補強部材７１４及びテープ状のカップ補強部材７１２に繋がっており、かつ、カップ部７５０の脇側縁部７５０ｂには、着用状態において肩ストラップ７１０の前側部分に対して滑らかに連続するようにしてなる脇補強部材７１４が配置されているブラジャー７０１が開示されている。
【０００７】
特許文献３の一実施形態においては、図７に示すような力Ａ、Ｂ、Ｃが作用する。すなわち、カップ部７５０の上端部７５０ｄからカップワイヤー部（下縁湾曲部）７５０ｃの脇側末端を経由してアンダーテープ（土台部７５２の下端テープ）７５３に至るラインに沿ってテープ状脇補強部材７１４が設けられ、これが肩ストラップ７１０に繋がっており、着用状態において肩ストラップ７１０の前側部分に対して当該テープ状脇補強部材７１４が滑らかに連続しているので、肩ストラップ７１０による上方への引き上げ力Ａと、脇部のアンダーテープ７５３やバック部７５４による横方向への引き離し力Ｂがバランスする。このため、乳房を脇方向から押さえる力Ｃが発生し、バストを前中心に向かって寄せる効果が発揮される。
【０００８】
【特許文献１】特開２００８−２１４７７７号公報
【特許文献２】実公告昭４１−３３０９号公報
【特許文献３】特許３５０６３６５号公報
【発明の開示】
【発明が解決しようとする課題】
【０００９】
しかし、上記図５を参照するに、特許文献１乃至３に記載のブラジャー５０１、６０１、７０１では、カップ部５５０の側縁部５５０ｂの外側に付いた脇肉を効果的にカップ部５５０の前中心部に寄せることができなかった。例えば、上記特許文献３のブラジャー７０１では、テープ状脇補強部材７１４が脇部を押し付けることにより脇肉がカップ部７５０の脇側縁部７５０ｂからはみ出すなど、着用者によっては美感を損ない、不都合を生じる場合があった。
【００１０】
そこで、このような不都合を解消し、カップ部５５０の側縁部５５０ｂで画される脇肉を効果的にカップ部５５０の前中心部に寄せるべく、図８のような構成の肩紐８１０を有するブラジャー８０１が生産販売されるに至った。
【００１１】
すなわち、上記図８に示すブラジャー８０１においては、肩紐８１０は、カップ部８５
０の側縁部８５０ｂに接続する吊上げ部８１４（８１４ａ、８１４ｂ）と、バック部８５４に接続する肩掛け部８１２と、吊上げ部８１４（８１４ａ、８１４ｂ）と肩掛け部８１２とを連結する連結部８２０と、から構成され、吊上げ部８１４（８１４ａ、８１４ｂ）は、カップ部８５０の側縁部８５０ｂの上方を一端として連結部８２０を挿通し、当該側縁部８５０ｂの上記一端より下方を他端としてカップ部８５０の側縁部８５０ｂに連結する紐（吊上げ部８１４）により、正面視で三角形状に形成した。この三角形状は、図８のように、上記一端から連結部８２０までの吊上げ上縁部８１４ａと、連結部８２０から上記他端までの脇補強下縁部８１４ｂと、上記一端から他端までの側縁部８５０ｂを３辺として形成される。
【００１２】
ブラジャー８０１は、肩紐８１０の吊上げ部８１４の構成を上記のような三角形状としたことにより、脇補強下縁部８１４ｂが、カップ部８５０の側縁部８５０ｂからはみ出した脇肉を拾い寄せる効果を奏し、カップ部８５０の前中心部に盛り上がった外観の美しいバストを形成することを可能とした。
【００１３】
しかし、従来のブラジャー８０１の吊上げ部８１４（８１４ａ、８１４ｂ）は、吊上げ上縁部８１４ａが、カップ部８５０の側縁部８５０ｂの上方を一端として、カップ部８５０の前中心から外方向に向いていたため、下縁湾曲部８５０ｃの最下点Ｂからバストを上方に持ち上げる力が外方向（横方向）に逃げてしまうという欠点があった。
【００１４】
そこで本発明は、カップ部のバスト持ち上げ効果及び形態安定性を向上させ、バストの中央への寄せ効果や保形効果を安定的に維持し得るブラジャーの肩紐を提供することを目的とする。
【課題を解決するための手段】
【００１５】
本発明に係るブラジャーの肩紐は、上縁部、側縁部および下縁湾曲部を有しバストを支持する左右一対のカップ部と、該カップ部の下縁湾曲部を下方から支持する土台部と、該土台部に接続された左右一対のバック部と、該カップ部の側縁部と該バック部とを連結する左右一対の肩紐とを含むブラジャーにおいて、前記肩紐は、前記カップ部の側縁部に接続する吊上げ部と、前記バック部に接続する肩掛け部と、該吊上げ部と該肩掛け部とを連結する連結部と、から構成され、前記吊上げ部は、前記カップ部の上縁部と側縁部との交点である上端部を一端として前記連結部を挿通し、該上端部の一端より下方の側縁部を他端として該カップ部の側縁部に連結する紐により、正面視で三角形状に形成した。
【００１６】
本発明に係るブラジャーの肩紐において、前記吊上げ部および前記連結部を含んで形成する前記三角形状は、前記カップ部の上端部である一端から前記連結部に伸長する吊上げ上縁部と、該連結部から前記カップ部の側縁部の他端に伸長する脇補強下縁部と、該カップ部の側縁部に存する一端から他端までを３辺とし、着用時において、バストを保持するための力線Ｆが、前記下縁湾曲部の最下点Ｂから前記三角形状の頂部である前記連結部を介して前記肩掛け部に亘って略直線状に延伸可能である。
【００１７】
本発明に係るブラジャーの肩紐において、前記連結部は、前記肩掛け部を連結する側の形状は円弧状であり、該肩掛け部は該連結部に対して回動可能とするのが好ましい。
【００１８】
本発明に係るブラジャーの肩紐は、前記左右一対のカップ部の前記左右の下縁湾曲部の最下点Ｂを結ぶ線を基準線Ｇとして、着用時において、前記最下点Ｂから前記三角形状の前記連結部を介して略直線状に前記肩掛け部に延伸する該力線Ｆの、前記基準線Ｇに対する角度θが、６０度〜７５度の範囲に存するのが好ましい。
【００１９】
本発明に係るブラジャーの肩紐において、前記三角形状を形成する脇補強下縁部が前記カップ部の側縁部に接続する他端の最下点ｍ１と前記下縁湾曲部の最下点Ｂとを結ぶ直線Ｆ１が、前記基準線Ｇに対する角度θ１は、正面視において６０度〜６５度の範囲に存するのが好ましい。
【００２０】
本発明に係るブラジャーの肩紐において、前記三角形状を形成する吊上げ上縁部が前記カップ部の上縁部に接続する前記一端の中央側端点ｍ２と前記下縁湾曲部の最下点Ｂとを結ぶ直線Ｆ２が、前記基準線Ｇに対する角度θ２は、正面視において７０度〜７５度の範囲に存するのが好ましい。
【００２１】
本発明に係るブラジャーの肩紐において、前記三角形状を形成する吊上げ上縁部と脇補強下縁部とのなす角度ηは、２９度〜３５度の範囲に存するのが好ましい。
【発明の効果】
【００２２】
本発明に係るブラジャーの肩紐は、前記カップ部の上端部である一端から前記連結部に伸長する吊上げ上縁部と、該連結部から前記カップ部の側縁部の他端に伸長する脇補強下縁部と、該カップ部の側縁部に存する一端から他端までを３辺とする三角形状としたので、上記ブラジャーの肩紐と同様、三角形状を形成する脇補強下縁部がカップ部の側縁部からはみ出した脇肉を拾い寄せる効果を奏し、カップ部の前中心部に盛り上がった外観の美しいバストを形成可能である。
【００２３】
しかし、上記従来のブラジャーにおいては、上記三角形状を形成する紐は、カップ部の側縁部の上方を一端として吊上げ上縁部をカップ部の中心から外方向に延伸して連結部を挿通させていたため、吊上げ上縁部に働く力はカップ部の中心から外方向に向いてしまい、下縁湾曲部の最下点Ｂからバストを上方に持ち上げる力が横方向に逃げてしまうという欠点があった。そこで、本発明のブラジャーの肩紐は、吊上げ部を形成する吊上げ上縁部の一端Ｐをカップ部の上縁部と側縁部との交点である上端部としたので、吊上げ上縁部をカップ部に対して従来より上方向に伸長させることが可能となった。
【００２４】
また、連結部を、肩掛け部を連結する側の形状は円弧状とし、肩掛け部を連結部に対して回動可能としたので、肩掛け部を上記三角形状に対して回動させることができる。そのため、上記カップ部の下縁湾曲部の最下点Ｂから上記三角形状を形成する連結部を介して肩掛け部に延伸する力線Ｆを略直線状に調整し、上方に持ち上がった美形のバストラインを形成することが容易となる。
【００２５】
すなわち、本発明のブラジャーの肩紐は、着用時において、バストを保持するための力線Ｆが、上記最下点Ｂから上記三角形状の頂部である上記連結部を介して肩掛け部に亘って略直線状に延伸させることが可能である。そのため、下縁湾曲部の最下点Ｂからバストを上方に持ち上げる力を横方向に逃がさず、脇補強下縁部が脇肉を拾い寄せる効果を補完して、理想的にバストを持ち上げ保持することができる。なお、肩紐を吊上げ部と肩掛け部から構成し、吊上げ部を正面視で三角形状に形成したので、ブラジャーの体からの浮きを防いで体に密着させ、フィト感を高めることができる。
【図面の簡単な説明】
【００２６】
【図１】本発明に係るブラジャーの正面図。
【図２】本発明に係るブラジャーの裏面図。
【図３】本発明に係るブラジャーの肩紐の吊上げ部の拡大図。
【図４】本発明に係るブラジャーの肩紐の吊上げ部の拡大図。
【図５】従来のブラジャーの左カップの正面図および右カップの裏面図。
【図６】従来のブラジャーの斜視図。
【図７】従来のブラジャーの斜視図。
【図８】従来のブラジャーの裏面図。
【発明を実施するための最良の形態】
【００２７】
図１を参照して、本発明に係るブラジャー１の肩紐１０は、上縁部５０ａ、側縁部５０ｂおよび下縁湾曲部５０ｃを有しバストを支持する左右一対のカップ部５０と、カップ部５０の下縁湾曲部５０ｃを下方から支持する土台部５２と、土台部５２に接続された左右一対のバック部５４と、カップ部５０の側縁部５０ｂとバック部５４とを連結する左右一対の肩紐１０とを含むブラジャーにおいて、カップ部５０の側縁部５０ｂに接続する吊上げ部１４（１４ａ、１４ｂ）と、バック部５４に接続する肩掛け部１２と、吊上げ部１４（１４ａ、１４ｂ）と肩掛け部１２とを連結する連結部２０と、から構成される。
【００２８】
そして、ブラジャー１の肩紐１０において、吊上げ部１４（１４ａ、１４ｂ）は、カップ部５０の上縁部５０ａと側縁部５０ｂとの交点である上端部５０ｄを一端Ｐとして連結部２０を挿通し、側縁部５０ｂの一端Ｐより下方を他端Ｑとしてカップ部５０の側縁部５０ｂに連結する紐により、正面視で三角形状に形成した。
【００２９】
この、吊上げ部１４（１４ａ、１４ｂ）および連結部２０を含んで形成した三角形状は、図１に示すように、カップ部５０の上端部５０ｄである一端Ｐから連結部２０に伸長する吊上げ上縁部１４ａと、連結部２０からカップ部５０の側縁部５０ｂの他端Ｑに伸長する脇補強下縁部１４ｂと、カップ部５０の側縁部５０ｂに存する一端Ｐから他端Ｑまでを３辺としている。１本の紐からなる上記三角形状の２辺をなす、吊上げ上縁部１４ａおよび脇補強下縁部１４ｂは、連結部２０によりしっかり固定するのが好ましい。
【００３０】
従来は、上記三角形状を形成する紐は、カップ部５０の側縁部５０ｂの上方を一端として斜め横上方向に連結部２０を挿通させていたため、吊上げ上縁部１４ａはカップ部５０の前中心から外方向に向いてしまい、下縁湾曲部５０ｃの最下点Ｂから吊上げ上縁部に沿ってバストを上方に持ち上げる力が横方向に逃げてしまうという欠点があった。しかし、本発明のブラジャー１の肩紐１０は、吊上げ上縁部１４ａの一端Ｐをカップ部５０の上縁部５０ａと側縁部５０ｂとの交点である上端部５０ｄとしたので、吊上げ上縁部１４ａをカップ部５０に対してより上方向に伸長させることが可能となった。
【００３１】
また、本発明に係るブラジャーの肩紐１０において、連結部２０は、例えば図３、図４を参照して、肩掛け部１２を連結する側の形状は円弧状とし、肩掛け部１２を連結部２０に対して回動可能とするのが好ましい。この三角形状に対して肩掛け部１２を回動可能とすることにより、着用時にバストを保持するための力線Ｆを、図２のように、下縁湾曲部５０ｃの最下点Ｂから上端部５０ｄ（一端Ｐ）及び連結部２０を経て肩掛け部１２方向に略直線状に延伸させることが可能となる。
【００３２】
すなわち、本発明のブラジャー１の肩紐１０は図２に示すように、ブラジャー１の着用時において、バストを保持するための力線Ｆを、下縁湾曲部の最下点Ｂから上記三角形状の頂部である連結部２０を介して肩掛け部１２に亘って略直線状に延伸させることができる（ただし、下記のように、図２では、カップ部５０が曲面であるため、力線Ｆを表す矢印は湾曲している）。
【００３３】
このように、図２の矢印で示すカップ部５０に内包するバストを保持するための力線Ｆを、カップ部５０の下縁湾曲部５０ｃの最下点Ｂから上記三角形状の頂部である連結部２０を介して肩掛け部１２方向に略直線状に延伸させることによって、脇補強下縁部１４ｂがカップ部５０の側縁部５０ｂからはみ出した脇肉をカップ部５０の前中心部に拾い寄せると共に、バストを上方向に盛り上がらせる効果を生じさせ、従来より外観の美しいバストを形成することを可能とした。なお、図２において力線Ｆは曲線を描くが、これはブラジャー１の立体構造のためで、着用者には、下縁湾曲部５０ｃの最下点Ｂから肩掛け部１２方向に略直線状に、バストを前中心上方向に盛り上がらせる力（力線Ｆ）を感じることとなる。
【００３４】
ブラジャー１は、公知のブラジャーと同様の方法で製造することができる。肩紐１０において、上記三角形状の２辺をなす、吊上げ上縁部１４ａおよび脇補強下縁部１４ｂは、カップ部５０の側縁部５０ｂを形成するテープの裏に、例えば縫合等することにより固定する。上記のように、吊上げ上縁部１４ａおよび脇補強下縁部１４ｂは１本の紐からなり、例えば図３のように、この紐の表面側を吊上げ上縁部１４ａの前面となるように一端Ｐに固定し、連結部２０で上記紐を反転させて、紐の裏面側を脇補強下縁部１４ｂの前面として端部を他端Ｑに固定する。肩掛け部１２は、上記のように、端部を輪状にして連結部２０に回動可能に連結させるのが好ましい。
【００３５】
このようにして形成される本発明に係るブラジャー１の構成素材は、特に限定されるものではなく、市販のブラジャーと同様の材料でブラジャー１を形成することができる。カップ部５０は、トリコット等からなる表地と、天竺や綿、ポリエステル混の編物等からなる裏地との間に、クッション材を挟持して、公知の手段で熱圧着して形成する。
【００３６】
肩紐１０を構成する肩掛け部１２、吊上げ部１４（１４ａ、１４ｂ）の素材も、特に限定されるものではなく、連結部２０も従来品と同様に金属やプラスチックで形成可能であるが、ある程度の硬度のある材料であればその素材は特に限定されない。
【実施例１】
【００３７】
上述のように、本発明のブラジャー１の肩紐１０は図２に示すように、ブラジャー１の着用時において、バストを保持するための力線Ｆが、下縁湾曲部の最下点Ｂから上記三角形状の頂部である連結部２０を介して肩掛け部１２に亘って略直線状に延伸するのが好ましい。
【００３８】
そこで、本実施例１では、まず、図４のように、上記三角形状を形成する脇補強下縁部１４ｂがカップ部の側縁部５０ｂに接続する他端Ｑの最下点をｍ１と、同じく上記三角形状を形成する吊上げ上縁部１４ａがカップ部の上縁部５０ａに接続する上記一端Ｐの中央側端点をｍ２とし、左右一対のカップ部５０の左右の下縁湾曲部５０ｃの最下点Ｂを結ぶ線を基準線Ｇと定義する。そして、他端Ｑの最下点ｍ１および一端Ｐの中央側端点ｍ２とが、それぞれ下縁湾曲部の最下点Ｂとを結ぶ直線をＦ１およびＦ２とし、直線Ｆ１およびＦ２が上記基準線Ｇに対する角度θ１、および、θ２を正面視において測定した。
【００３９】
下表１は、アンダーバストサイズがそれぞれ６５ｃｍ、７０ｃｍ、７５ｃｍの本発明に係るブラジャー１のカップサイズＡ、Ｂ、ＣおよびＤの製品に対して、上記角度θ１、および、θ２を、それぞれのカップサイズ及びアンダーバストサイズの製品から任意に選んだ３サンプルについて測定したものである。
【００４０】
【表１】
2014062350.tif 000003
【００４１】
表１より、それぞれのカップサイズ及びアンダーバストサイズの製品の中から任意に選んだいずれのサンプルにおいても、概ね角度θ１〜θ２は、６０度〜７０度であったが、カップサイズＢとＤのアンダーバストサイズが７５ｃｍの製品には、５度程度のずれがあった。したがって、本発明に係るブラジャー１の肩紐１０について、以下の（１）〜（３）のことが結論付けられた。
【００４２】
（１）上記三角形状を形成する脇補強下縁部１４ｂがカップ部５０の側縁部５０ｂに接続する他端Ｑの最下点ｍ１と、下縁湾曲部５０ｃの最下点Ｂとを結ぶ直線Ｆ１が、基準線Ｇに対する角度θ１は、正面視において６０度〜６５度の範囲に存するのが好ましい。より好適には、角度θ１は約６０度である。
【００４３】
（２）上記三角形状を形成する吊上げ上縁部１４ａがカップ部５０の上縁部５０ａに接続する一端Ｐの中央側端点ｍ２と、下縁湾曲部５０ｃの最下点Ｂとを結ぶ直線Ｆ２が、基準線Ｇに対する角度θ２は、正面視において７０度〜７５度の範囲に存するのが好ましい。より好適には、角度θ２は約７０度である。
【００４４】
（３）上記左右一対のカップ部５０の左右の下縁湾曲部５０ｃの最下点Ｂを結ぶ線を基準線Ｇとして、着用時において、上記力線Ｆが、最下点Ｂから上記三角形状の連結部２０を介して略直線状に肩掛け部１２に延伸する当該直線Ｆの、基準線Ｇに対する角度θが、６０度〜７５度の範囲に存するのが好ましい。
【００４５】
ただし、上記のように、図４において、力線Ｆを表す矢印はカップ部５０が曲面であるため多少湾曲しているが、Ｆ１およびＦ２は正面視における直線であるため湾曲しないものとして定義している。したがって、力線Ｆの基準線Ｇに対する角度θは、力線Ｆに沿って変化し得るが、ほぼ角度θ１〜θ２の範囲内にあり、即ち測定結果より６０度〜７５度の範囲と認められた。
【実施例２】
【００４６】
上述のように、本発明のブラジャー１の肩紐１０は図４に示すように、吊上げ部１４（１４ａ、１４ｂ）は、カップ部５０の上縁部５０ａと側縁部５０ｂとの交点である上端部５０ｄを一端Ｐとして連結部２０を挿通し、側縁部５０ｂの一端Ｐより下方を他端Ｑとしてカップ部５０の側縁部５０ｂに連結する紐により、正面視で三角形状に形成している。
【００４７】
この三角形状は、ブラジャーの体からの浮きを防いで体に密着させ、フィト感を高めることができるが、三角形状を形成する脇補強下縁部１４ｂが拾い寄せる脇肉を、吊上げ上
縁部１４ａがバストと共に上方向に持ち上げる効果を奏する本発明の特徴を成す要素である。
【００４８】
そこで、本実施例２では、図４のように、上記三角形状を形成する吊上げ上縁部１４ａと脇補強下縁部１４ｂとのなす最適の角度ηを測定した。
【００４９】
下表２は、実施例１と同様に、カップサイズＡ、Ｂ、ＣおよびＤのアンダーバストサイズがそれぞれ６５ｃｍ、７０ｃｍ、７５ｃｍの本発明に係るブラジャー１の製品に対して、上記角度ηを、それぞれのカップサイズ及びアンダーバストサイズの製品から任意に選んだ３サンプルについて測定したものである。
【００５０】
【表２】
2014062350.tif 000004
【００５１】
表２より明らかなように、本発明に係るブラジャー１の肩紐１０において、上記三角形状を形成する吊上げ上縁部１４ａと脇補強下縁部１４ｂとのなす角度ηは、２９度〜３５度の範囲とするのが好適であった。
【００５２】
以上、本発明のブラジャーについて実施形態及び実施例を用いて説明したが、本発明は上記実施形態等に限定されるものではない。本発明のブラジャーの肩紐の構成は、ブラジャー以外の肩紐を備えた水着、レオタード、カップ付ドレス、ブラスリップ等にも適用することができる。
【００５３】
その他、本発明は、その主旨を逸脱しない範囲で当業者の知識に基づき種々の改良、修正、変更を加えた態様で実施できるものである。
【産業上の利用可能性】
【００５４】
本発明に係るブラジャーは、ブラジャーのような肩紐付き下着の他、肩紐を備えた水着、レオタード、カップ付ドレス、ブラスリップなどに利用することができる。
【符号の説明】
【００５５】
１：本発明に係るブラジャー
１０：肩紐
１２：肩掛け部
１４：吊上げ部
１４ａ、８１４ａ：吊上げ上縁部
１４ｂ、８１４ｂ：脇補強下縁部
２０：連結部
５０：カップ部
５０ａ、５５０ａ：上縁部
５０ｂ、５５０ｂ：側縁部
５０ｃ、５５０ｃ：下縁湾曲部
５０ｄ（Ｐ）：上端部
５２、５５２：土台部
５４、５５４：バック部
５０１、６０１、７０１、８０１：従来のブラジャー
５１０、６１０、７１０、８１０：肩紐（肩ストラップ）
５５０、６５０、７５０、８５０：カップ部
５５０ｄ：上端部
６１４：弾性吊上紐
６２０：取付環
６５０ｂ、７５０ｂ、８５０ｂ：カップ部の側縁部
７１４：脇補強部材
７１２：カップ補強部材
７５０ｃ、８５０ｃ：カップワイヤー部（下縁湾曲部）
７５０ｄ：上端部
７５２：土台部
７５３：アンダーテープ
７５４、８５４：バック部
８１２：肩掛け部
８１４（８１４ａ、８１４ｂ）：吊上げ部
８１４ａ：吊上げ上縁部
８１４ｂ：脇補強下縁部
８２０：連結部
Ｂ：下縁湾曲部の最下点
Ｇ：基準線
Ｐ：一端
Ｑ：他端
ｍ１：最下点
ｍ２：中央側端点
【図１】
2014062350.tif 000005
【図２】
2014062350.tif 000006
【図３】
2014062350.tif 000007
【図４】
2014062350.tif 000008
【図５】
2014062350.tif 000009
【図６】
2014062350.tif 000010
【図７】
2014062350.tif 000011
【図８】
2014062350.tif 000012